(57)【要約】【課題】画像形成装置内で発生した臭いの周辺環境への拡散を抑制するとともに、香り発生装置が設置された場合に、使用者に確実に香りを提供する。【解決手段】装置本体内の空気を吸引して装置本体に設けた開口部から外部へ排出する排気手段と、開口部を覆い排気手段により排出される空気を通過させる通気孔を有する交換可能な外装部材と、を備え、外装部材が、装置本体に装着された場合に、開口部を覆い排気手段により排出される空気を通過させる通気孔が装置本体の側面に向いた第一面に形成されている第１の外装部材と、通気孔が装置本体の側面に向いた第一面と背面に向いた第二面に形成された第２の外装部材と、から選択して交換可能に構成されている。【選択図】図４
2016142934.tif 000002
【特許請求の範囲】
【請求項１】
装置本体内の空気を吸引して前記装置本体に設けた開口部から外部へ排出する排気手段と、
前記開口部を覆い前記排気手段により排出される前記空気を通過させる通気孔を有する交換可能な外装部材と、
を備えた、
ことを特徴とする画像形成装置。
【請求項２】
前記外装部材が、前記装置本体に装着された場合に、前記通気孔が前記装置本体の側面に向いた第一面に形成されている第１の外装部材と、前記通気孔が前記装置本体の側面に向いた第一面と背面に向いた第二面に形成された第２の外装部材と、から選択して交換可能に構成された、
ことを特徴とする請求項１に記載の画像形成装置。
【請求項３】
前記第１の外装部材の前記第一面に形成された前記通気路が、前記開口部から排出される空気の排出方向を変化させる偏向部を有する、
ことを特徴とする請求項２に記載の画像形成装置。
【請求項４】
前記偏向部が、複数の羽板が所定間隔で配列されたルーバ構造を有する、
ことを特徴とする請求項３に記載の画像形成装置。
【請求項５】
前記ルーバ構造は、各羽板が互いに同期して回転可能に支持されて前記偏向部から排出される空気の排出方向を変更する、
ことを特徴とする請求項４に記載の画像形成装置。
【請求項６】
予め設定された領域内で移動体を検知可能な移動体検知手段を備え、
前記ルーバ構造が、前記領域内で前記移動体が検知された場合に前記偏向部から排出される空気の排出方向を変更する、
ことを特徴とする請求項５に記載の画像形成装置。
【請求項７】
揮散性薬剤を内部に収容する香り発生手段が、前記開口部における前記空気の排出方向の下流側に配置された場合に、前記第１の外装部材が選択される、
ことを特徴とする請求項１ないし６のいずれか１項に記載の画像形成装置。
【請求項８】
前記香り発生手段の前記揮散性薬剤は、前記装置本体内の動作時に前記装置本体の機内で発生する熱によって揮散が助長される、
ことを特徴とする請求項７に記載の画像形成装置。
【請求項９】
前記装置本体内の動作時に前記装置本体の機内で発生する熱は、前記装置本体内に配置された加熱部材によって伝導され、前記前記装置本体に設けた排気手段から空気流とともに放出される熱である、
ことを特徴とする請求項８に記載の画像形成装置。
【請求項１０】
トナー像を形成するトナー像形成手段と、
前記トナー像形成手段によって形成されたトナー像を記録媒体に転写させる転写手段と、
前記転写手段の上流側に配置され、前記転写手段に向けて前記記録媒体を送り出す給紙手段と、
加熱されることで前記記録媒体に前記トナー像を定着する定着手段と、
前記定着手段の下流側に設けられ、前記定着手段により前記トナー像が定着された前記記録媒体を排出する排出手段と、
前記排出手段と前記給紙手段との間に略垂直方向に伸びる記録媒体搬送手段と、を備えた、  
ことを特徴とする請求項１ないし９のいずれか１項に記載の画像形成装置。
【発明の詳細な説明】
【技術分野】
【０００１】
本発明は、画像形成装置に関する。
【背景技術】
【０００２】
背面又は側面に通風孔が形成された通風孔領域を有する表示部と、表示部を縦長の設置状態及び横長の設置状態で支持する支持手段を備えた表示装置であって、支持手段は縦長の設置状態及び横長の設置状態にて通風孔領域の一部を塞ぐカバー手段を備え、通風孔領域のうちカバー手段によって覆われた領域よりも下方に位置する下部領域の通風孔から表示部内に吸気し、カバー手段によって塞がれた領域よりも上方に位置する上部領域の通風孔から表示部の外部に排気する構成とした表示装置が知られている（特許文献１）。
装置本体に排気口を備え、その排気口に排気カバーを取り付け、その排気カバーの排気孔を通して排気する電子写真記録装置において、装置本体に対して排気カバーの向きを調整可能とした電子写真記録装置も知られている（特許文献２）。
【先行技術文献】
【特許文献】
【０００３】
【特許文献１】特開２０１１−２４２６７５号公報
【特許文献２】特開平６−４３７０８号公報
【発明の概要】
【発明が解決しようとする課題】
【０００４】
本発明は、画像形成装置内に香り発生装置を設置した場合に、使用者が存在する方向に確実に香りを提供することを目的とする。
【課題を解決するための手段】
【０００５】
前記課題を解決するために、請求項１に記載の画像形成装置は、
装置本体内の空気を吸引して前記装置本体に設けた開口部から外部へ排出する排気手段と、
前記開口部を覆い前記排気手段により排出される前記空気を通過させる通気孔を有する交換可能な外装部材と、
を備えた、
ことを特徴とする。
【０００６】
請求項２記載の発明は、請求項１に記載の画像形成装置において、
前記外装部材が、前記装置本体に装着された場合に、前記通気孔が前記装置本体の側面に向いた第一面に形成されている第１の外装部材と、前記通気孔が前記装置本体の側面に向いた第一面と背面に向いた第二面に形成された第２の外装部材と、から選択して交換可能に構成された、
ことを特徴とする。
【０００７】
請求項３記載の発明は、請求項２に記載の画像形成装置において、
前記第１の外装部材の前記第一面に形成された前記通気路が、前記開口部から排出される空気の排出方向を変化させる偏向部を有する、
ことを特徴とする。
【０００８】
請求項４記載の発明は、請求項３に記載の画像形成装置において、
前記偏向部が、複数の羽板が所定間隔で配列されたルーバ構造を有する、
ことを特徴とする。
【０００９】
請求項５記載の発明は、請求項４に記載の画像形成装置において、
前記ルーバ構造は、各羽板が互いに同期して回転可能に支持されて前記偏向部から排出される空気の排出方向を変更する、
ことを特徴とする。
【００１０】
請求項６記載の発明は、請求項５に記載の画像形成装置において、
予め設定された領域内で移動体を検知可能な移動体検知手段を備え、
前記ルーバ構造が、前記領域内で前記移動体が検知された場合に前記偏向部から排出される空気の排出方向を変更する、
ことを特徴とする。
【００１１】
請求項７記載の発明は、請求項１ないし６のいずれか１項に記載の画像形成装置において、
揮散性薬剤を内部に収容する香り発生手段が前記開口部における前記空気の排出方向の下流側に配置された場合に、前記第１の外装部材が選択される、
ことを特徴とする。
【００１２】
請求項８記載の発明は、請求項７項に記載の画像形成装置において、
前記香り発生手段の前記揮散性薬剤は、前記装置本体内の動作時に前記装置本体の機内で発生する熱によって揮散が助長される、
ことを特徴とする。
【００１３】
請求項９記載の発明は、請求項８に記載の画像形成装置において、
前記装置本体内の動作時に前記装置本体の機内で発生する熱は、前記装置本体内に配置された加熱部材によって伝導され、前記前記装置本体に設けた排気手段から空気流とともに放出される熱である、
ことを特徴とする。
【００１４】
請求項１０に記載の発明は、請求項１ないし９のいずれか１項に記載の画像形成装置において、
トナー像を形成するトナー像形成手段と、
前記トナー像形成手段によって形成されたトナー像を記録媒体に転写させる転写手段と、
前記転写手段の上流側に配置され、前記転写手段に向けて前記記録媒体を送り出す給紙手段と、
加熱されることで前記記録媒体に前記トナー像を定着する定着手段と、
前記定着手段の下流側に設けられ、前記定着手段により前記トナー像が定着された前記記録媒体を排出する排出手段と、
前記排出手段と前記給紙手段との間に略垂直方向に伸びる記録媒体搬送手段と、を備えた、  
ことを特徴とする。
【発明の効果】
【００１５】
請求項１ないし４に記載の発明によれば、排気手段により排出される空気を通過させる外装部材が交換可能に構成されていない場合に比して、画像形成装置内に香り発生装置を設置した場合に、使用者が存在する方向に確実に香りを提供することができる。
請求項５及び６に記載の発明によれば、使用者が存在する方向に確実に香りを提供することができる。
請求項７に記載の発明によれば、使用者に確実に香りを提供することができる。
請求項８及び９に記載の発明によれば、画像形成装置の周辺環境へ安定した強度の香りを提供することができる。
請求項１０に記載の発明によれば、画像形成装置の周辺環境へ香りを安価な構成で提供することができる。
【図面の簡単な説明】
【００１６】
【図１】（ａ）は画像形成装置１の外観全体を示す正面概略構成図、（ｂ）は平面部分断面図、（ｃ）は左側面部分断面図、（ｄ）は香り発生装置８０が設置された画像形成装置１の背面斜視図である。
【図２】画像形成装置１の内部構成を示す縦断面図である。
【図３】（ａ）は第１の外装部材５Ａが取り付けられた画像形成装置１の背面斜視図、（ｂ）は第２の外装部材５Ｂが取り付けられた画像形成装置１の背面斜視図である。
【図４】（ａ）は第１の外装部材５Ａの斜視図及び横断面図、（ｂ）は第２の外装部材５Ｂの斜視図及び横断面図である。
【図５】（ａ）は第１の外装部材５Ａにおける空気の流れを示す断面模式図、（ｂ）は第２の外装部材５Ｂにおける空気の流れを示す断面模式図である。
【図６】第１の外装部材５Ａが取り付けられた画像形成装置１における香りの拡散を説明するための平面模式図である。
【図７】第２の外装部材５Ｂが取り付けられた画像形成装置１における排気を説明するための平面模式図である。
【図８】第１の外装部材５Ａのルーバ構造の動作の一例を示す部分断面模式図である。
【図９】画像形成装置１Ａの人検知装置１００の機能構成を示すブロック図である。
【図１０】画像形成装置１Ａにおける人検知装置１００の人検知範囲を示す模式図である。
【図１１】画像形成装置１Ａにおける香りの拡散を説明するための平面模式図である。
【図１２】（ａ）は香り発生装置８０の１つの構成を示す斜視図、（ｂ）は縦断面図、（ｃ）は香り発生装置８０の開閉機構の構成を示す断面模式図である。
【発明を実施するための形態】
【００１７】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１８】
「第１実施形態」
（１）画像形成装置の全体構成及び動作
図１（ａ）は画像形成装置１の外観全体を示す正面概略構成図、（ｂ）は平面部分断面図、（ｃ）は左側面部分断面図、（ｄ）は香り発生装置８０が設置された画像形成装置１の背面斜視図、図２は画像形成装置１の内部構成を示す縦断面図、図３（ａ）は第１の外装部材５Ａが取り付けられた画像形成装置１の背面斜視図、（ｂ）は第２の外装部材５Ｂが取り付けられた画像形成装置１の背面斜視図である。
以下、図面を参照しながら、画像形成装置１の全体構成及び動作を説明する。
【００１９】
（１．１）全体構成
画像形成装置１は、電子写真方式によって画像を形成する画像形成部２と、原稿等の読み取りを行う読取部３が読取装置支持部４によって画像形成部２の上方に支持されて構成されている。
【００２０】
画像形成部２は、筐体Ｆ（不図示）内に、制御装置１０（不図示）、給紙装置２０、感光体ユニット３０、現像ユニット４０、転写ユニット５０、定着ユニット６０、排気装置７０が配置され（図１（ｃ）、（ｄ）に図示）、筐体Ｆは分割された複数の外装カバー５で覆われて構成されている。
【００２１】
画像形成部２には、排気装置７０が設けられている。排気装置７０は、筐体Ｆ内で画像形成装置１の左側面側に向かって形成された通気ダクト７１を有し、排気手段としての排気ファン７２を回転駆動して外装カバー５に形成された開口部５ａから画像形成部２内の熱せられた空気を機外へ排出する。
【００２２】
外装カバー５の開口部５ａの外側には香り発生装置８０（図１２参照）が設置される凹部５ｂが形成されている（図１（ｄ）参照）。
開口部５ａには、開口部５ａを覆い排気ファン７２により排出される空気を通過させる通気孔を有する交換可能な第１の外装部材５Ａ、第２の外装部材５Ｂのいずれかが選択されて取り付けられている（図３（ａ）、（ｂ）参照）。
【００２３】
読取装置支持部４には、外装カバー５の内面側に移動体検知手段としての人感センサ１１０と、人検知カメラ１２０が装着されている。人感センサ１１０及び人検知カメラ１２０は、移動体の一例としての人を検知し、人感センサ１１０で検知された検知信号、人検知カメラ１２０で撮像された画像データを制御装置１０へ送信する送信部１５０を含めて人検知装置１００を構成している（図９参照）。
【００２４】
読取部３の前面側には、ユーザーインターフェイスとしての操作情報部９０が配置されている。操作情報部９０は、液晶表示パネル、各種操作ボタン、タッチパネル等を組み合わせて構成され、画像形成装置１の使用者は、操作情報部９０を介して各種の設定や指示の入力を行う。また、液晶表示パネルを介して画像形成装置１の使用者へ各種情報を表示する。
【００２５】
（１．２）画像形成部
画像形成部２の底部には、多数の記録媒体としての用紙Ｐが積載された給紙装置２０が設けられ、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００２６】
感光体ユニット３０は、給紙装置２０の上方（Ｚ方向）に、それぞれが並列して設けられ、回転駆動する感光体ドラム３１を備えている。それぞれの感光体ドラム３１上にはそれぞれの現像ユニット４０によってイエロー（Ｙ）、マゼンタ（Ｍ）、シアン（Ｃ）、黒（Ｋ）のトナー像が形成される。
【００２７】
各感光体ユニット３０の感光体ドラム３１に形成された各色トナー像は、転写ユニット５０の中間転写ベルト５１上に順次静電転写（一次転写）され、各色トナーが重畳された重畳トナー像が形成される。中間転写ベルト５１上の重畳トナー像は、レジストローラ対２３から送り出され、搬送ガイドにより案内された用紙Ｐに二次転写ローラ５２によって一括転写される。
【００２８】
転写ユニット５０においてトナー像が一括転写された用紙Ｐは、トナー像が未定着の状態で定着ユニット６０に搬送され、一対の加熱モジュール６１と加圧モジュール６２により、圧着と加熱の作用でトナー像が定着される。
定着トナー像が形成された用紙Ｐは、搬送ガイドによってガイドされ、排出ローラ対６９から画像形成部２の上面（Ｚ方向）に形成された排出トレイ部に排出・収容される。
【００２９】
このように、画像形成装置１は、用紙カセット２１から二次転写ローラ５２を経由して排出ローラ対６９に到達するまでの用紙搬送経路をＣ形状としたＣパス搬送路の構成とすることで、用紙Ｐの搬送経路を最短で形成し、ＦＰＯＴ（first printout time）を最小化できる構成となっている。
【００３０】
（２）香り発生装置の構成と作用
図１２（ａ）は香り発生装置８０の１つの構成を示す斜視図、（ｂ）は縦断面図、（ｃ）は香り発生装置８０の開閉機構８５の構成を示す断面模式図である。
以下図面を参照しながら、香り発生装置８０の構成と作用について説明する。
【００３１】
（２．１）香り発生装置の構成
香り発生装置８０は、揮散性薬剤８１と、揮散性薬剤８１を内部に収容する容器体８２と、容器体８２の開口を覆う蓋体８３を備えて構成されている。
【００３２】
容器体８２は、一端側が開口した有底の凹状容器体で、揮散性薬剤８１を収容する。開口部８２ａは、蓋体８３と接合され、揮散性薬剤８１が収容された容器体８２として密閉されている。
【００３３】
蓋体８３の上面には、開閉機構８５が設けられている。開閉機構８５は、開口部８２ａを塞ぐ閉鎖位置（図１２（ｂ）参照）と互いに離間して開口部８２ａを開放する開放位置（図１２（ｃ）参照）とを切り替えるようになっている。
【００３４】
開閉機構８５は、開放位置では、図１２（ｃ）に示すようにそれぞれのフラップ８６が形成する通気路８７が断面視一定方向に傾斜して停止するように回転が規制されている。その結果、香り発生装置８０が設置された状態で蓋体８３の上方を空気流が流通した場合には、通気路８７を介して容器体８２の内部から揮散した香り成分が空気流の流通方向に拡散する。
【００３５】
揮散性薬剤８１は、揮散性物質を保持し、容器体８２の収容部Ｓ１内に充填されて保持されたゲル成形体である。ゲル成形体に保持される揮散性物質は、ゲル成形体から揮散により蓋体８３の通気路８７を介して外部に放出される物質であり、揮散性の芳香剤、消香剤などが挙げられる。
【００３６】
（２．２）香り発生装置の作用
香り発生装置８０は、容器体８２内のゲル成形体が蓋体８３の通気路８７を通して空気と接触することになり、ゲル成形体に含まれる揮散性物質としての芳香剤、消香剤等の揮発成分がゲル成形体の表面から外部に揮散し、香り発生装置としての機能を発揮する。
【００３７】
香り発生装置８０は、開閉機構８５が開放位置に位置した状態では、揮散性物質としての芳香剤を放出し、開閉機構８５が閉鎖位置に位置した状態では、揮散性物質としての芳香剤は放出されない。
【００３８】
画像形成装置１を稼動させると、定着ユニット６０や電源装置等から熱が発生する。そして、発生した熱で画像形成装置１内の暖められた空気は、排気装置７０に設けられた排気ファン７２の回転で第１の外装部材５Ａに形成された通気路６から機外へ排出する。
一方、揮散性薬剤８１の揮散性の芳香剤は、熱によって気化が助長され揮散効率は高くなることが知られている。
香り発生装置８０は、排気ファン７２によって排気される空気流の下流側に設置されているために、暖められた空気が空気流となって通過して容器体８２や揮散性薬剤８１が暖められる。その結果、排気ファン７２の駆動とともに開閉機構８５の開閉を制御することで、香り発生装置８０から放出された芳香剤の画像形成装置１周辺環境への拡散状態（距離、濃度等）を調整することができる。
【００３９】
（３）外装部材の構成と作用
図４（ａ）は第１の外装部材５Ａの斜視図及び横断面図、（ｂ）は第２の外装部材５Ｂの斜視図及び横断面図、図５（ａ）は第１の外装部材５Ａにおける空気の流れを示す断面模式図、（ｂ）は第２の外装部材５Ｂにおける空気の流れを示す断面模式図、図６は第１の外装部材５Ａが取り付けられた画像形成装置１における香りの拡散を説明するための平面模式図、図７は第２の外装部材５Ｂが取り付けられた画像形成装置１における排気を説明するための平面模式図である。
以下図面を参照しながら、第１の外装部材５Ａ、第２の外装部材５Ｂの構成と作用について説明する。
【００４０】
図５（ａ）に示すように、第１の外装部材５Ａは、平面視Ｌ字断面形状を有する装置本体の外装カバー５に着脱可能なカバーである。第１の外装部材５Ａは、装置本体に装着された状態で装置本体の左側面に向いた第一面５Ａａと装置本体の背面側に向いた第二面５Ａｂから構成されている。
【００４１】
第一面５Ａａには、通気路６が形成されている。通気路６は、装置本体の開口部５ａから排気される空気を装置本体の前方側へ向かわせる偏向部７を有し、複数の羽板７ａが所定間隔で配列されたルーバ構造をなしている。
第二面５Ａｂは、全面が開口部５ａの装置本体背面側を塞ぐようになっている。
【００４２】
図５（ｂ）に示すように、第２の外装部材５Ｂは、平面視Ｌ字断面形状を有する装置本体の外装カバー５に着脱可能なカバーである。第２の外装部材５Ｂは、装置本体に装着された状態で装置本体の左側面に向いた第一面５Ｂａと装置本体の背面側に向いた第二面５Ｂｂから構成されている。
【００４３】
第一面５Ｂａ、第二面５Ｂｂのそれぞれには、通気路８が形成されている。通気路８は、装置本体の開口部５ａから排気される空気を装置本体の左側面及び背面側へ向かわせる開口をなしている。
【００４４】
このように構成された第１の外装部材５Ａ及び第２の外装部材５Ｂは、装置本体の開口部５ａを塞ぐようにそれぞれいずれかを選択して取り付けられる。
具体的には、装置本体の開口部５ａの外側には香り発生装置８０（図８参照）が設置される場合には、第１の外装部材５Ａが選択されて取り付けられる。香り発生装置８０が設置されていない場合には、第２の外装部材５Ｂが選択されて取り付けられる。
【００４５】
図５（ａ）に示すように、第１の外装部材５Ａが取り付けられた画像形成装置１において、排気ファン７２を介して装置内部の空気が例えば流量Ｑ排気される場合、第１の外装部材５Ａは、第一面５Ａａにのみ通気路６が形成されているために、第一面５Ａａの偏向部７で偏向されて、例えば流速Ｖ１で、装置本体の前方側へ排気される。
【００４６】
一方、図５（ｂ）に示すように、第２の外装部材５Ｂが取り付けられた画像形成装置１において、排気ファン７２を介して装置内部の空気が例えば流量Ｑ排気される場合、第２の外装部材５Ｂは、第一面５Ｂａ、第二面５Ｂｂのそれぞれに通気路８が形成されているために、例えば流速Ｖ２で、装置本体の左側面側及び背面側へ排気される。
【００４７】
排気ファン７２で排気される空気の流量Ｑは、第１の外装部材５Ａ、第２の外装部材５Ｂにかかわらず一定であるために、通気路６のみである第１の外装部材５Ａが取り付けられた画像形成装置１における外部へ排気する流速Ｖ１は第２の外装部材５Ｂが取り付けられている場合の流速Ｖ２に比して早くなる。あるいは、流速Ｖ２は流速Ｖ１に比して遅くなる。
【００４８】
（３．１）香り発生装置が設置されている場合
図６に示すように、装置本体の開口部５ａの外側に香り発生装置８０（図８参照）が設置され、第１の外装部材５Ａが選択されて取り付けられている場合、香り発生装置８０から放出された香りは、定着ユニット６０や電源装置等から発生した熱で暖められた空気とともに、第１の外装部材５Ａに形成された通気路６から機外へ排出される。
【００４９】
第１の外装部材５Ａの通気路６は、空気を装置本体の前方側へ向かわせる偏向部７を有して、かつ、通気路６が第一面５Ａａのみに形成されているために、空気とともに排出される香りは、早い流速で装置本体の前方側へ拡散される。
そのために、画像形成装置１の使用者に確実に香りを提供することができる。
【００５０】
（３．２）香り発生装置が設置されていない場合
図７に示すように、装置本体の開口部５ａを塞ぐ第２の外装部材５Ｂが選択されて取り付けられている場合、定着ユニット６０や電源装置等から発生した熱で暖められた空気は、第２の外装部材５Ｂに形成された通気路８から機外へ排出される。
【００５１】
第２の外装部材５Ｂの通気路８は、第一面５Ｂａ、第二面５Ｂｂのそれぞれに形成されているために、第１の外装部材５Ａに比して、通気路８から排出される空気は遅くなる。
そのために、画像形成装置１内で発生し、空気とともに排出される臭いの使用者側への拡散が抑制される。
また、画像形成装置１が背面を壁に近接させて設置された場合（図７参照）に、第二面５Ｂｂが塞がれても、画像形成装置１内の暖められた空気は、第一面５Ｂａから早い流速で排出され、画像形成装置１の機内温度上昇を抑制することができる。
【００５２】
「第２実施形態」
図８は第１の外装部材５Ａのルーバ構造の動作の一例を示す部分断面模式図、図９は画像形成装置１Ａの人検知装置１００の機能構成を示すブロック図、図１０は画像形成装置１Ａにおける人検知装置１００の人検知範囲を示す模式図、図１１は画像形成装置１Ａにおける香りの拡散を説明するための平面模式図である。
以下図面を参照しながら、第１の外装部材５Ａのルーバ構造の動作について説明するが、第１実施形態に係る画像形成装置１と共通の構成要素には、同一の符号を付し、その詳細な説明は省略する。
【００５３】
第１の外装部材５Ａは、各羽板７ａが互いに同期してそれぞれの支軸７ａｂを中心に回転可能に支持されて偏向部７から排出される空気の排出方向を変更するルーバ構造を備えている。
そして、移動体検知手段としての人検知装置１００により検知された移動体としての操作者が予め定められた領域内において検知されたときに、偏向部７から排出される空気の排出方向を変更する。
【００５４】
図８に示すように、第１の外装部材５Ａは、各羽板７ａが互いに同期してそれぞれの支軸７ａｂを中心に回転して偏向部７から排出される空気の排出方向を変更する。
例えば、図８（ａ）は各羽根７ａが画像形成装置１Ａの左側方から前方側に向って空気を排出するように回転した状態を示している。この状態では、通気路６の開口面積は広く、香りは空気とともに流量に応じた流速Ｖ１１で排出される。
図８（ｂ）に示す状態では、各羽根７ａが画像形成装置１Ａの左側方約４５度方向に向って空気を排出するように回転し、図８（ａ）の状態に比して通気路６の開口面積は狭く流速Ｖ１１よりも早い流速Ｖ１２で排出される。
また、図８（ｃ）に示す状態では、各羽根７ａが画像形成装置１Ａの前方側に向って空気を排出するように回転した状態を示している。この状態では、通気路６の開口面積は狭く流速Ｖ１２よりも早い流速Ｖ１３で排出される。
【００５５】
このように構成されたルーバ構造を有する第１の外装部材５Ａが取り付けられた画像形成装置１Ａは、人感センサ１１０が予め定められた領域（図１０に示す検知範囲Ａ１）内に人が入ってきたことを検知すると、人検知カメラ１２０をＯＮにして、人検知カメラ１２０の撮像領域（図１０に示す撮像範囲Ａ２）において撮影された画像データを取得する。
そして、判定処理部１４０は、検知された人が「使用者」か「非使用者」かの判定を行い、撮像領域内で検知された人が「使用者」と判定された場合、偏向部７から排出される空気の排出方向を「使用者」の方向に変更する（図１１参照）。
その結果、使用者が存在する方向に確実に香りを提供することができる。
【符号の説明】
【００５６】
１、１Ａ・・・画像形成装置
２・・・画像形成部
３・・・読取部
４・・・読取装置支持部
５・・・外装カバー
５ａ・・・開口部
５Ａ・・・第１の外装部材
６・・・通気路
７・・・偏向部
７ａ・・・羽板
７ａｂ・・・支軸
５Ｂ・・・第２の外装部材
８・・・通気路
１０・・・制御装置
２０・・・給紙装置
３０・・・感光体ユニット
４０・・・現像ユニット
５０・・・転写ユニット
６０・・・定着ユニット
７０・・・排気装置
８０・・・香り発生装置
９０・・・操作情報部
【図１】
2016142934.tif 000003
【図２】
2016142934.tif 000004
【図３】
2016142934.tif 000005
【図４】
2016142934.tif 000006
【図５】
2016142934.tif 000007
【図６】
2016142934.tif 000008
【図７】
2016142934.tif 000009
【図８】
2016142934.tif 000010
【図９】
2016142934.tif 000011
【図１０】
2016142934.tif 000012
【図１１】
2016142934.tif 000013
【図１２】
2016142934.tif 000014